【誤訳訂正書】
【提出日】平成26年1月28日(2014.1.28)
【誤訳訂正１】
【訂正対象書類名】特許請求の範囲
【訂正対象項目名】全文
【訂正方法】変更
【訂正の内容】
【特許請求の範囲】
【請求項１】
ビデオシーケンスの画像を処理する方法であって、
ビデオシーケンスのフレームのセット中の基準フレームとして連続的に機能する１以上のフレームに対して、前記フレームセットの最初のフレームの領域に関連する基準フレームの各領域のピクセルに関係付けられた動きを特徴付ける基準フレームの各領域に対する第１の動き予測であって、前記最初のフレームの位置が、前記フレームセットの他のフレームの位置と時間的に重複しないことを特徴とする第１の動き予測と、前記フレームセットの２番目のフレームの領域に関連する基準フレームの各領域のピクセルに関係付けられた動きを特徴付ける少なくとも第２の動き予測であって、前記２番目のフレームの位置が、前記フレームセットの最初のフレームの位置及び前記フレームセットの他のフレームの位置と時間的に重複しないことを特徴とする第２の動き予測と、を具備する動き予測のセットにアクセスするステップと、
前記第１の動き予測と前記第２の動き予測の結果に基づいてフレームセット全体にわたり前記基準フレーム中の領域の位置を位置合わせし、位置合わせの結果に基づいて、前記フレームセット全体にわたり時間的な画像予測のセットを予測するステップと、
前記時間的な画像予測のセットを融合するステップと、
前記融合するステップに基づき、前記フレームセット全体にわたり時間的予測基準を生成するステップと、を具備し、
当該方法は、
１以上のビデオアプリケーションに対する時間的予測基準を提供するステップを具備し、
当該方法は、
１以上のフレームのデータの補間に基づいて、１以上のフレームの各々の空間的予測を計算するステップと、
ビデオシーケンスに対応する空間的・時間的予測を生成するために前記空間的予測と複数の時間的な予測とを融合するステップと、
をさらに具備し、
前記融合するステップは、少なくとも部分的には、補間に基づく重み付けに基づく前記時間的な予測を計算するステップを含み、
前記補間に基づく重み付けは、
前記基準フレームと前記２番目のフレームのピクセルの動きに関連付けた少なくとも１つの値を補間するステップであって、該少なくとも１つの値は、フラクショナルピクセル位相値を含む、ステップと、
該補間するステップに基づき、前記１以上のフレームのピクセルに関連付けた動き予測に、補間に基づく重み付けを割り当てるステップとを実行することにより割り当てられる、
ことを特徴とするビデオシーケンスの画像を処理する方法。
【請求項２】
各動き予測に関連付けた精度を推定するステップと、
関連付けた該推定に基づき、各動き予測に、精度に基づく重み付けを割り当てるステップと、
をさらに具備し、
前記融合するステップは、少なくとも部分的に、前記割り当てた、精度に基づく重み付けに基づく前記時間的な予測を計算するステップを具備する、
ことを特徴とする請求項１に記載の方法。
【請求項３】
ビデオ画像シーケンス中の各フレームの圧縮に関連付けた推定ノイズ成分に基づき、圧縮ノイズに基づく重み付けを前記各動き予測に割り当てるステップをさらに具備し、
前記融合するステップは、少なくとも部分的に、圧縮ノイズに基づく重み付けに基づく、完成された時間的予測を計算するステップを具備する、
ことを特徴とする請求項１に記載の方法。
【請求項４】
推定した圧縮ノイズ成分を推定するステップ、又は、
該推定した圧縮ノイズ成分を受け取るステップ、
をさらに具備することを特徴とする請求項３に記載の方法。
【請求項５】
ビデオストリーム及び動き予測のセットを受け取るステップをさらに具備する、
ことを特徴とする請求項１に記載の方法。
【請求項６】
前記空間的予測に関する精度を推定するステップと、
その精度に基づき、空間的予測精度基準の重み付けを前記空間的予測に割り当てるステップと、
をさらに具備し、
前記空間的予測と時間的予測とを融合するステップは、少なくとも部分的には、前記空間的予測精度基準の重み付けに基づく、
ことを特徴とする請求項１に記載の方法。
【請求項７】
前記動き予測の各々は複数の値を具備し、
該複数の値は、
前記フレームセットの１以上のフレーム間の１以上の領域に関する並進運動の動きを記述する直交関係にある１対のベクトル成分、又は、
前記フレームセットの１以上のフレーム間の１以上の領域に関する回転運動の動きを記述する角度成分、又は、
前記フレームセットの１以上のフレーム間の１以上の領域に関するアフィン運動を記述する少なくとも６個のマッピングパラメータ、
のうちの少なくとも１つを具備することを特徴とする請求項１に記載の方法。
【請求項８】
前記アクセスするステップは、１以上の源から動き予測を選択するステップを具備し、
該源は、
実質的に直接動き予測を行う源、又は、
圧縮した動き予測の源、又は、
空間的に精密な動き予測の源、又は、
前記動画ビデオシーケンスの複数のフレームの各々に現れる１以上の画像の外観を基準フレームに対して基本的に整列させる動き予測の源、
を具備することを特徴とする請求項１に記載の方法。
【請求項９】
ビデオ信号を処理するコンピュータシステムであって、
バスと、
該バスに接続されたプロセッサと、
該バスに接続され、少なくとも１つのプロセッサにより実行させると、該少なくとも１つのプロセッサに、ビデオシーケンスのフレームのセット中の基準フレームとして連続的に機能する１以上のフレームに対して、動き予測のセットにアクセスするステップであって、該動き予測のセットには、前記フレームセットの最初のフレームの領域に関連する基準フレームの領域の各々のピクセルと関係付けられた動きを特徴付ける基準フレームの各領域に対する第１の動き予測であって、前記最初のフレームの位置が、前記フレームセットの他のフレームの位置と時間的に重複しないことを特徴とする第１の動き予測と、前記フレームセットの２番目のフレームの領域に関連する基準フレームの領域の各々のピクセルに関係付けられた動きを特徴付ける少なくとも第２の動き予測であって、前記２番目のフレームの位置が、前記フレームセットの最初のフレームの位置及び前記フレームセットの他のフレームの位置と時間的に重複しないことを特徴とする第２の動き予測と、を具備する動き予測のセットにアクセスするステップと、前記第１の動き予測と前記第２の動き予測の結果に基づいてフレームセット全体にわたり前記基準フレーム中の領域の位置を位置合わせし、位置合わせの結果に基づいて、前記フレームセット全体にわたり時間的な画像予測のセットを予測するステップと、前記時間的な画像予測のセットを融合するステップと、前記融合するステップに基づき、前記フレームセット全体にわたり時間的予測基準を生成するステップと、からなるステップを実行させる命令の１以上のシーケンスを有するコンピュータ読取可能媒体と、を具備し、
前記命令は、
１以上のビデオアプリケーションに対する時間的予測基準を提供するステップを前記少なくとも１つのプロセッサに実行させ、
前記命令は、
１以上のフレームのデータの補間に基づいて、１以上のフレームの各々の空間的予測を計算するステップと、
ビデオシーケンスに対応する空間的・時間的予測を生成するために前記空間的予測と複数の時間的な予測とを融合するステップと、を前記少なくとも１つのプロセッサに更に実行させ、
前記融合するステップは、少なくとも部分的には、補間に基づく重み付けに基づく前記時間的な予測を計算するステップを含み、
前記補間に基づく重み付けは、
前記基準フレームと前記２番目のフレームのピクセルの動きに関連付けた少なくとも１つの値を補間するステップであって、該少なくとも１つの値は、フラクショナルピクセル位相値を含む、ステップと、
該補間するステップに基づき、前記１以上のフレームのピクセルに関連付けた動き予測に、補間に基づく重み付けを割り当てるステップとを実行することにより割り当てられる、
ことを特徴とするビデオ信号を処理するコンピュータシステム
【請求項１０】
前記システムは、
前記少なくとも１つのプロセッサと関連付けたバッファを具備し、
該バッファは、時間的に意味のある順序でビデオシーケンスのフレームを連続的に貯蔵し、
前記少なくとも１つのプロセッサは、前記バッファにおけるビデオシーケンスのフレームにアクセスする、
ことを特徴とする請求項９に記載のシステム。
【請求項１１】
前記命令は、少なくとも１つのプロセッサに、時間的な予測ユニットを機能的に構成させ、
該予測ユニットは、
整列するステップ及び予測するステップを実行するよう構成された補間器であって、
該補間器は、
前記基準フレームのピクセルの動きに関連付けた少なくとも１つの値と、前記２番目のフレームとを補完するための、値の補間器が含まれ、前記少なくとも１つの値にはフラクショナルピクセル位相値が含まれていることを特徴とする補間器と、
重み付け生成器であって、時間的な予測の精度、又は、前記ビデオ画像の圧縮と関連付けた推定ノイズ成分、又は、前記基準フレームと前記２番目のフレームのピクセルの動きと関連付けた補間であって、該補間はフラクショナルピクセル位相値を含むことを特徴とする補間、のうちの少なくとも１つに基づく動き予測の各々に１つ以上の重み付けを割り当てるよう構成されていることを特徴とする重み付け生成器と、
を具備することを特徴とする請求項９に記載のシステム。
【請求項１２】
前記命令は、
１以上の予測融合器のうちの少なくとも１つが融合および生成処理機能の少なくとも一方を実行するよう構成されるような少なくとも１つの予測融合器を少なくとも１つのプロセッサに構成させ、該１以上の予測融合器は、
時間的な画像予測のセットと空間的な画像予測セットの各予測に対応する精度の質を計算するための領域スコア計算器と、
１以上の融合生成器であって、１以上の空間的予測と、複数の時間的な予測を融合するステップであって、該融合は、前記１以上の空間的予測と、複数の時間的な予測の各々に関連付けた精度の質に基づいて実行されることを特徴とするステップと、前記融合に基づいて、１以上の前記ビデオシーケンスに対応する完成された時間的な予測又は空間的・時間的予測を生成するステップと、を実行するため１以上の融合生成器と、
を具備することを特徴とする、
請求項１１に記載のシステム。
【請求項１３】
ビデオ処理装置であって、
ビデオシーケンスを処理するために構成した少なくとも１つのプロセッサを備え、
前記処理は、前記ビデオシーケンスのフレームのセット中の基準フレームとして連続的に機能する１以上のフレームに対して、前記フレームセットの最初のフレームの領域に関連する基準フレームの各領域のピクセルに関係付けられた動きを特徴付ける基準フレームの各領域に対する第１の動き予測であって、前記最初のフレームの位置が、前記フレームセットの他のフレームの位置と時間的に重複しないことを特徴とする第１の動き予測と、前記フレームセットの２番目のフレームの領域に関連する基準フレームの各領域のピクセルに関係付けられた動きを特徴付ける少なくとも第２の動き予測であって、前記２番目のフレームの位置が、前記フレームセットの最初のフレームの位置及び前記フレームセットの他のフレームの位置と時間的に重複しないことを特徴とする第２の動き予測と、を具備する動き予測のセットにアクセスするステップと、前記第１の動き予測と前記第２の動き予測の結果に基づいてフレームセット全体にわたり前記基準フレーム中の領域の位置を位置合わせし、位置合わせの結果に基づいて、前記フレームセット全体にわたり時間的な画像予測のセットを予測するステップと、前記時間的な画像予測のセットを融合するステップと、前記融合するステップに基づき、前記フレームセット全体にわたり時間的予測基準を生成するステップとを具備し、
前記処理は、
１以上のビデオアプリケーションに対する時間的予測基準を提供するステップを具備し、
前記処理は、
１以上のフレームのデータの補間に基づいて、１以上のフレームの各々の空間的予測を計算するステップと、
ビデオシーケンスに対応する空間的・時間的予測を生成するために前記空間的予測と複数の時間的な予測とを融合するステップと、を更に具備し、
前記融合するステップは、少なくとも部分的には、補間に基づく重み付けに基づく前記時間的な予測を計算するステップを含み、
前記補間に基づく重み付けは、
前記基準フレームと前記２番目のフレームのピクセルの動きに関連付けた少なくとも１つの値を補間するステップであって、該少なくとも１つの値は、フラクショナルピクセル位相値を含む、ステップと、
該補間するステップに基づき、前記１以上のフレームのピクセルに関連付けた動き予測に、補間に基づく重み付けを割り当てるステップとを実行することにより割り当てられる、
ことを特徴とするビデオ処理装置。
【請求項１４】
ビデオデコーダ又はエンコーダのうちの少なくとも１つ、又は、
ビデオ編集装置、又は、
テレビジョン、又は、
少なくとも１つの光学的にエンコードされた媒体に対するプレーヤーアプリケーション、又は、
エンコードされた記憶媒体に対するプレーヤーアプリケーション、又は、
ストリーミングデジタル信号に対するプレーヤーアプリケーション、又は、
画像処理アプリケーションからの情報を生成するためのモニター、又は、
携帯通信装置、又は、
携帯エンターテインメント装置、又は、
オーディオ／ビデオ受信装置、又は、
メディアサーバー、又は、
医学画像処理装置、又は、
ゲームプレーイング装置、
のうちの少なくとも１つをさらに具備する、
ことを特徴とする請求項１３に記載のビデオ処理装置。
【請求項１５】
エンコードした命令を有するコンピュータ読み取り可能な記憶媒体であって、コンピュータシステムの１以上のプロセッサに実行させると、該命令はビデオシーケンスのフレームのセット中の基準フレームとして連続的に機能する１以上のフレームに対して、動き予測のセットにアクセスするステップであって、前記動き予測のセットは、前記フレームセットの最初のフレームの領域に関連する基準フレームの各領域のピクセルに関係付けられた動きを特徴付ける基準フレームの各領域に対する第１の動き予測であって、前記最初のフレームの位置が、前記フレームセットの他のフレームの位置と時間的に重複しないことを特徴とする第１の動き予測と、前記フレームセットの２番目のフレームの領域に関連する基準フレームの各領域のピクセルに関係付けられた動きを特徴付ける少なくとも第２の動き予測であって、前記２番目のフレームの位置が、前記フレームセットの最初のフレームの位置及び前記フレームセットの他のフレームの位置と時間的に重複しないことを特徴とする第２の動き予測と、を具備する動き予測のセットにアクセスするステップと、前記第１の動き予測と前記第２の動き予測の結果に基づいてフレームセット全体にわたり前記基準フレーム中の領域の位置を位置合わせし、位置合わせの結果に基づいて、前記フレームセット全体にわたり時間的な画像予測のセットを予測するステップと、前記時間的な画像予測のセットを融合するステップと、前記融合するステップに基づき、前記フレームセット全体にわたり時間的予測基準を生成するステップと、を上記プロセッサに実行させ、
前記命令は、
１以上のビデオアプリケーションに対する時間的予測基準を提供するステップを上記プロセッサに実行させ、
前記命令は、
１以上のフレームのデータの補間に基づいて、１以上のフレームの各々の空間的予測を計算するステップと、
ビデオシーケンスに対応する空間的・時間的予測を生成するために前記空間的予測と複数の時間的な予測とを融合するステップと、を上記プロセッサに更に実行させ、
前記融合するステップは、少なくとも部分的には、補間に基づく重み付けに基づく前記時間的な予測を計算するステップを含み、
前記補間に基づく重み付けは、
前記基準フレームと前記２番目のフレームのピクセルの動きに関連付けた少なくとも１つの値を補間するステップであって、該少なくとも１つの値は、フラクショナルピクセル位相値を含む、ステップと、
該補間するステップに基づき、前記１以上のフレームのピクセルに関連付けた動き予測に、補間に基づく重み付けを割り当てるステップとを実行することにより割り当てられる、
ことを特徴とするコンピュータ読み取り可能な記憶媒体。
【請求項１６】
ビデオシーケンスのフレームのセット中の基準フレームとして順次に機能する１以上のフレームに対して、動き予測のセットにアクセスする手段であって、前記動き予測のセットは、フレームセットの最初のフレームの領域に関連する基準フレームの各領域のピクセルに関係付けられた動きを特徴付ける基準フレームの各領域に対する第１の動き予測であって、前記最初のフレームの位置が、前記フレームセットの他のフレームの位置と時間的に重複しないことを特徴とする第１の動き予測と、前記フレームセットの２番目のフレームの領域に関連する基準フレームの各領域のピクセルに関係付けられた動きを特徴付ける少なくとも第２の動き予測であって、前記２番目のフレームの位置が、前記フレームセットの最初のフレームの位置及び前記フレームセットの他のフレームの位置と時間的に重複しないことを特徴とする第２の動き予測と、を具備し、
前記第１の動き予測と前記第２の動き予測の結果に基づいてフレームセット全体にわたり前記基準フレーム中の領域の位置を位置合わせし、位置合わせの結果に基づいて、前記フレームセット全体にわたり時間的な画像予測のセットを予測する手段と、
前記時間的な画像予測のセットを融合する手段と、
前記融合に基づき、前記フレームセット全体にわたり時間的予測基準を生成する手段と、
を具備し、
１以上のビデオアプリケーションに対する時間的予測基準を提供する手段を具備し、
１以上のフレームのデータの補間に基づいて、１以上のフレームの各々の空間的予測を計算する手段と、
ビデオシーケンスに対応する空間的・時間的予測を生成するために前記空間的予測と複数の時間的な予測とを融合する手段とを更に具備する、、
前記融合する手段は、少なくとも部分的には、補間に基づく重み付けに基づく前記時間的な予測を計算する手段を含み、
前記補間に基づく重み付けは、
前記基準フレームと前記２番目のフレームのピクセルの動きに関連付けた少なくとも１つの値を補間するステップであって、該少なくとも１つの値は、フラクショナルピクセル位相値を含む、ステップと、
該補間するステップに基づき、前記１以上のフレームのピクセルに関連付けた動き予測に、補間に基づく重み付けを割り当てるステップとを実行することにより割り当てられる、
ことを特徴とするシステム。
【請求項１７】
フィルター機能に基づき前記基準フレームと前記２番目のフレームのピクセルの動きと関連付けた値を補間するための手段と、該値は、フラクショナルピクセル位相値を含み、
重み付け値を生成するための少なくとも１つの手段と、該重み付け値は、前記時間的な予測の精度、又は、前記ビデオ画像の圧縮に関連付けた推定されるノイズ成分、又は、前記基準フレームと前記２番目のフレームのピクセルの動きと関連付けた値を補間であって、該補間にはフラクショナルピクセル位相値が含まれることを特徴とする補間、又は、前記空間的予測に関連付けた精度、のうちの少なくとも１つが含まれることを特徴とする、重み付け値を生成するための少なくとも１つの手段と、
を更に具備することを特徴とする請求項１６記載のシステム。